(57)【要約】【課題】簡易な方法で無線ＬＡＮ端末の保守・点検を行うことができる無線ＬＡＮ端末装置及び無線ＬＡＮ端末の保守・点検方法を提供すること。【解決手段】本発明の無線ＬＡＮ端末装置は、保守モードにおいて保守用端末となり、被試験端末に対して近距離無線通信で保守・点検を行い、通信モードにおいて通常の無線ＬＡＮ端末として無線ＬＡＮ基地局を通じて他の無線ＬＡＮ端末や他の通信端末と無線ＬＡＮ通信を行う。これにより、簡易な方法で無線ＬＡＮ端末の保守・点検を行うことができる【選択図】図１
2007266869.tif 000002
【特許請求の範囲】
【請求項１】
無線ＬＡＮの送受信を行う通信手段と、無線ＬＡＮ通信を行う通信モードと端末の保守・点検を行う保守モードとの間の切り替えを行うモード切替手段と、前記通信手段を介して受信した信号について、無線ＬＡＮ基地局から送信された第１信号か無線ＬＡＮ端末基地局から直接送信された第２信号かを判定する判定手段と、前記通信モードにおいて前記第１信号に対して受信処理を行うと共に、前記保守モードにおいて前記第２信号に対して受信処理を行う受信処理手段と、を具備することを特徴とする無線ＬＡＮ端末装置。
【請求項２】
前記保守モードにおいて保守・点検を行う保守用アプリケーションを動作させるアプリケーション制御部を有することを特徴とする請求項１記載の無線ＬＡＮ端末装置。
【請求項３】
前記保守モードにおける保守・点検中において保守・点検結果に応じて演出を行う演出手段を有することを特徴とする請求項１又は請求項２記載の無線ＬＡＮ端末装置。
【請求項４】
請求項１から請求項３のいずれかの無線ＬＡＮ端末を保守用端末とし、この保守用端末と被試験端末との間の近距離無線通信により前記被試験端末の保守・点検を行うことを特徴とする無線ＬＡＮ端末の保守・点検方法。
【請求項５】
前記保守用端末が前記被試験端末に対して、前記通信モードにおいて前記無線基地局に送信する信号を送信することを特徴とする請求項４記載の無線ＬＡＮ端末の保守・点検方法。
【請求項６】
前記保守用端末と前記被試験端末との間で認証を行うことを特徴とする請求項４又は請求項５記載の無線ＬＡＮ端末の保守・点検方法。
【請求項７】
前記保守用端末は、複数の被試験端末に対して保守・点検を行うことを特徴とする請求項４から請求項６のいずれかに記載の無線ＬＡＮ端末の保守・点検方法。
【発明の詳細な説明】
【技術分野】
【０００１】
本発明は、無線ＬＡＮ端末装置及び無線ＬＡＮ端末の保守・点検方法に関する。
【背景技術】
【０００２】
無線ＬＡＮ通信を用いたＩＰ電話通信においては、無線ＬＡＮ端末（ＩＰ電話端末）が無線ＬＡＮ基地局と接続し、さらにこの無線ネットワーク内にあるＩＰ電話の通話接続制御を行う通話接続制御サーバと接続することで端末間での通話が可能になる。
【０００３】
このような無線ＬＡＮ通信を行う端末の保守・点検は、通常、無線ＬＡＮ端末を無線ＬＡＮ基地局と通話接続制御サーバ機能を有する機器を経由させて他の無線ＬＡＮ端末と通話をして行われる。すなわち、無線ＬＡＮ端末の保守・点検は、無線ＬＡＮ基地局や通話接続制御サーバなしで行うことができない。
【特許文献１】特開２００２−１８５４５８号公報
【発明の開示】
【発明が解決しようとする課題】
【０００４】
一般に、ＩＰ電話端末で通話ができない原因としては、電池、マイク、スピーカ、無線受信機、アンテナ、各種キーなどの機器の故障や、ネットワーク側の問題、無線ネットワークとの接続性の問題など数多くの要因が考えられる。ＩＰ電話端末の販売店やＩＰ電話通信サービス提供会社の店頭や保守窓口では、この数多くの故障原因の中から通話できない原因を特定するために、通話接続試験を行う必要がある。ＩＰ電話端末の保守・点検には、上述のように、通話機能の試験を行うために、無線ＬＡＮ基地局と通話接続制御サーバなどが必要となり、このような保守・点検環境を各販売店や窓口に配備することはコストの点で不可能である。したがって、簡易な方法で、ＩＰ電話端末の保守・点検を行うことができるシステムが望まれている。
【０００５】
本発明はかかる点に鑑みてなされたものであり、簡易な方法で無線ＬＡＮ端末の保守・点検を行うことができる無線ＬＡＮ端末装置及び無線ＬＡＮ端末の保守・点検方法を提供することを目的とする。
【課題を解決するための手段】
【０００６】
本発明の無線ＬＡＮ端末装置は、無線ＬＡＮの送受信を行う通信手段と、無線ＬＡＮ通信を行う通信モードと端末の保守・点検を行う保守モードとの間の切り替えを行うモード切替手段と、前記通信手段を介して受信した信号について、無線ＬＡＮ基地局から送信された第１信号か無線ＬＡＮ端末から直接送信された第２信号かを判定する判定手段と、前記通信モードにおいて前記第１信号に対して受信処理を行うと共に、前記保守モードにおいて前記第２信号に対して受信処理を行う受信処理手段と、を具備することを特徴とする。
【０００７】
この構成によれば、無線ＬＡＮ基地局や通話接続制御サーバ機能を有する機器を必要とせず、保守用端末と被試験端末との間の近距離無線通信により無線ＬＡＮ端末の保守・点検を行うので、簡易に無線ＬＡＮ端末の保守・点検を行うことができる。その結果、店頭や保守窓口における保守費用（試験環境設置コスト）の削減を図ることが可能となる。
【０００８】
本発明の無線ＬＡＮ端末装置においては、前記保守モードにおいて保守・点検を行う保守用アプリケーションを動作させるアプリケーション制御部を有することが好ましい。
【０００９】
本発明の無線ＬＡＮ端末装置においては、前記保守モードにおける保守・点検中において保守・点検結果に応じて演出を行う演出手段を有することが好ましい。この構成によれば、点検者が点検結果を容易に認識することが可能となる。
【００１０】
本発明の無線ＬＡＮ端末の保守・点検方法は、上記無線ＬＡＮ端末を保守用端末とし、この保守用端末と被試験端末との間の近距離無線通信により前記被試験端末の保守・点検を行うことを特徴とする。
【００１１】
この方法によれば、無線ＬＡＮ基地局や通話接続制御サーバ機能を有する機器を必要とせず、保守用端末と被試験端末との間の近距離無線通信により無線ＬＡＮ端末の保守・点検を行うので、簡易に無線ＬＡＮ端末の保守・点検を行うことができる。その結果、店頭や保守窓口における保守費用（試験環境設置コスト）の削減を図ることが可能となる。
【００１２】
本発明の無線ＬＡＮ端末の保守・点検方法においては、前記保守用端末が前記被試験端末に対して、前記通信モードにおいて前記無線基地局に送信する信号を送信することが好ましい。
【００１３】
本発明の無線ＬＡＮ端末の保守・点検方法においては、前記保守用端末と前記被試験端末との間で認証を行うことが好ましい。この方法によれば、無線ネットワーク上の認証サーバにアクセスする必要がなく、簡易にユーザ認証を行うことができる。
【００１４】
本発明の無線ＬＡＮ端末の保守・点検方法においては、前記保守用端末は、複数の被試験端末に対して保守・点検を行うことが好ましい。
【発明の効果】
【００１５】
本発明の無線ＬＡＮ端末装置は、無線ＬＡＮの送受信を行う通信手段と、無線ＬＡＮ通信を行う通信モードと端末の保守・点検を行う保守モードとの間の切り替えを行うモード切替手段と、前記通信手段を介して受信した信号について、無線ＬＡＮ基地局から送信された第１信号か無線ＬＡＮ端末から直接送信された第２信号かを判定する判定手段と、前記通信モードにおいて前記第１信号に対して受信処理を行うと共に、前記保守モードにおいて前記第２信号に対して受信処理を行う受信処理手段と、を具備するので、無線ＬＡＮ基地局や通話接続制御サーバがなくても、簡易な方法で無線ＬＡＮ端末の保守・点検を行うことができる。
【発明を実施するための最良の形態】
【００１６】
以下、本発明の実施の形態について、添付図面を参照して詳細に説明する。
（実施の形態１）
本実施の形態においては、保守用端末の構成が被試験端末と同じ構成である場合について説明する。
【００１７】
図１は、本発明の実施の形態１に係る無線ＬＡＮ端末装置の概略構成を示す図である。図１に示す無線ＬＡＮ端末装置は、受信アンテナ１１を介して無線ＬＡＮ端末（ＩＰ電話端末）や無線ＬＡＮ基地局からの信号を受信する無線受信部１２と、無線ＬＡＮ端末から直接送信された信号か無線ＬＡＮ基地局から送信された信号かを判定するモード判定部１３と、無線ＬＡＮ端末から送信された信号について受信処理を行う第１受信処理部１４と、無線ＬＡＮ基地局から送信された信号について受信処理を行う第２受信処理部１５と、無線ＬＡＮ通信を行う通信モードと端末の保守・点検を行う保守モードとの間の切り替えを行うモード切替部１６と、無線ＬＡＮ通信においてＩＰアドレスを取り扱うＩＰ制御部１７と、ＳＩＰ（Session Initiation Protocol）を取り扱うＶｏＩＰ接続制御部１８と、保守用アプリケーションのためのデータをはじめ種々のデータを格納する記憶部１９と、保守用アプリケーションをはじめとする種々のアプリケーションを制御するアプリ制御部２０と、光を発光する発光デバイス、種々のデータや情報を表示する表示デバイス、及び音や音声を出力する音出力デバイスなどの出力部２１と、無線ＬＡＮ端末や無線ＬＡＮ基地局に送信するデータに対して送信処理する送信処理部２２と、送信アンテナ２４を介して信号を送信する無線送信部２とから主に構成されている。
【００１８】
このような構成を有する無線ＬＡＮ端末装置は、保守モードにおいて保守用端末となり、被試験端末に対して近距離無線通信で保守・点検を行い、通信モードにおいて通常の無線ＬＡＮ端末として無線ＬＡＮ基地局を通じて他の無線ＬＡＮ端末や他の通信端末と無線ＬＡＮ通信を行う。
【００１９】
無線受信部１２は、受信アンテナ１１を介して受信した信号を中間周波数にダウンコンバートし、信号判定部１２に出力する。信号判定部１２においては、受信信号について、無線ＬＡＮ端末から直接送信された信号か無線ＬＡＮ基地局から送信された信号かを判定する。そして、信号判定部１２は、無線ＬＡＮ端末から送信された信号を第１受信処理部１４に出力し、無線ＬＡＮ基地局から送信された信号を第２受信処理部１５に出力する。なお、無線ＬＡＮ端末から直接送信された信号（インフラストラクチャモード）か無線ＬＡＮ基地局から送信された信号（アドホックモード）かのモード判定は、例えば、受信した無線信号の形式や、無線信号に含まれる識別子を用いて行うことができる。
【００２０】
モード切替部１６は、無線ＬＡＮ通信を行う通信モードと端末の保守・点検を行う保守モードとの間の切り替えを行う。モード切替部１６は、例えば、デフォルトで通信モードに設定されており、保守用アプリケーションを起動した旨の制御信号をアプリ制御部２０から受けたときに、保守モードに切り替える。この場合、モード切替部１６は、モード判定部１３にモード信号を出力する。モード判定部１３は、モード信号に基づいて受信信号を第１受信処理部１４又は第２受信処理部１５に出力するように切り替えを行う。すなわち、モード判定部１３は、モード信号が保守モードを示す場合には、受信信号を第１受信処理部１４に出力し、モード信号が通信モードを示す場合には、受信信号を第２受信処理部１５に出力する。
【００２１】
第１受信処理部１４は、無線ＬＡＮ端末からの受信信号に対して所定の受信処理、例えば復調処理や復号処理などを行う。受信処理されたデータは、ＩＰ制御部１７に出力される。また、第２受信処理部１５は、無線ＬＡＮ基地局からの受信信号に対して、所定の受信処理、例えば復調処理や復号処理などを行う。受信処理されたデータは、ＩＰ制御部１７に出力される。
【００２２】
ＩＰ制御部１７は、無線ＬＡＮ通信全体の制御を行う。したがって、ＩＰ制御部１７は、ＶｏＩＰ接続制御部１８に対する通信の開始・終了の制御指示、記憶部１９に対するデータの格納・読み出し指示、アプリ制御部２０に対するアプリケーション起動指示、出力部２１に対する演出指示などを行う。また、ＩＰ制御部１７は、保守モードにおいて、近距離無線通信により保守・点検を行う際のユーザ認証を行う。
【００２３】
ＶｏＩＰ接続制御部１８は、各無線ＬＡＮ端末に登録してあるＩＰ電話番号の管理及びＩＰ電話の呼制御、並びに各ルータで利用するＳＩＰ接続用のチャネル制御を行う。記憶部１９は、種々のデータや情報を格納する。アプリ制御部２０は、保守用アプリケーションをはじめとする種々のアプリケーションの起動などを行う。アプリ制御部２０において、保守用アプリケーションが起動されると、アプリ制御部２０からモード切替部１６に保守用アプリケーションを起動した旨の制御信号が送られる。
【００２４】
出力部２１は、保守モードにおいて無線ＬＡＮ端末を保守・点検する際に、点検結果に基づいて演出を行う。出力部２１には、ＬＥＤなどの発光デバイス、ディスプレイなどの表示デバイス、及びスピーカなどの音出力デバイスなどを含み、点検結果に応じて所定の演出を行う。例えば、点検結果において、無線ＬＡＮ通信がＯＫである場合に、ＩＰ制御部１７の指示により、ＬＥＤにより青色を発光させる。なお、演出については、これに限定されず、適宜変更することができる。
【００２５】
送信処理部２２は、無線ＬＡＮ端末や無線ＬＡＮ基地局に対して送信するデータに対して所定の送信処理、例えば符号化処理や変調処理を行う。送信処理後の信号は、無線送信部２３に出力される。無線送信部２３は、送信信号を無線周波数にアップコンバートして送信アンテナ２４を介して送信する。
【００２６】
次に、上記構成を有する無線ＬＡＮ端末装置を用いて保守・点検（無線ＬＡＮ接続試験、ＶｏＩＰ品質試験）を行う場合について説明する。まず、保守用端末と被試験端末との間で無線ＬＡＮ通信の接続を行い、その後、ＩＰ電話接続試験を行う。無線ＬＡＮ通信の接続は、図２に示すようにして行う。
【００２７】
まず、保守用端末は、予め外部メモリやメール添付などにより保守用アプリケーションを起動するために必要なデータを記憶部１９に格納する。そして、アプリ制御部２０により保守用アプリケーションが起動されると、アプリ制御部２０からモード切替部１６に制御信号が送られて、モード切替部１６が保守モードに切り替える。これにより、この保守用端末は、無線ＬＡＮ端末からの信号を直接受信することができると共に、無線ＬＡＮ端末に信号を直接送信することができる。
【００２８】
無線ＬＡＮ通信の接続においては、被試験端末が無線ＬＡＮ基地局であるアクセスポイント（ＡＰ）と接続できるように、保守用端末は、アクセスポイントが送信する信号、例えばビーコン信号（ＡＰの信号）を擬似的に送信する。この場合、ＩＰ制御部１７が送信処理部２２に対してＡＰの信号を送信する指示を行う。保守用端末から報知されたＡＰの信号を被試験端末が検出すると、保守用端末と被試験端末との間でＡＰ接続が行われる。さらにその後、被試験端末と保守用端末との間でユーザ認証が行われる。ユーザ認証は、被試験端末から認証情報を保守用端末に送信し、保守用端末において、送信された認証情報と予め登録された認証情報とを照合することにより行う。保守用端末は、ユーザ認証がなされると、認証ＯＫの旨の信号を被試験端末に送信する。これにより、ピアツーピア（Ｐ２Ｐ）によりＩＰ通信が開始される。このように保守用端末との間でユーザ認証を行うことにより、無線ネットワーク上の認証サーバにアクセスする必要がなく、簡易にユーザ認証を行うことができる。
【００２９】
次いで、図３及び図４に示すようにＳＩＰ接続を行う。まず、図３に示すように、被試験端末から保守用端末にＩＰ電話を発呼して接続要求する。この接続要求信号は、通常の通信と同じように、接続可能な無線チャネルを探す信号、自端末の接続プロトコルによる接続要求信号、端末認証のための信号、暗号化のための信号などが含まれる。これにより、保守用端末が呼び出される。ここで、被試験端末の電話番号を「００００」とし、保守用端末の電話番号を「０００１」とする。なお、これらの電話番号は適宜変更して用いることができる。
【００３０】
保守用端末は、接続要求信号を受信してオフフックになると、応答信号が保守用端末から被試験端末に送られる。応答信号には、保守試験接続用の無線チャネルを指定する信号、保守モード用のデータを含む。なお、被試験端末が接続するために必要な情報は、接続要求信号から把握する。また、保守モードにおいては、保守用端末で通信相手端末の認証を行わない。
【００３１】
そして、被試験端末は、応答信号を受け取ると、確認信号を保守用端末に送る。その後、被試験端末と保守用端末との間で通話が行われる。これらの一連の処理についてはＶｏＩＰ接続制御部１８により行われる。また、保守用端末においては、保守モードに設定されているので、被試験端末からの信号は、第１受信処理部１４で受信処理されてＩＰ制御部１７に送られる。
【００３２】
また、図４に示すように、保守用端末から被試験端末にＩＰ電話を発呼して接続要求する。これにより、被試験端末が呼び出される。そして、被試験端末がオフフックになると、応答信号が被試験端末から保守用端末に送られる。そして、保守用端末は、応答信号を受け取ると、確認信号を被試験端末に送る。その後、保守用端末と被試験端末との間で通話が行われる。これらの一連の処理についてはＶｏＩＰ接続制御部１８により行われる。
【００３３】
このようにして、ＩＰ電話の通信試験を行う。この点検の結果に応じて保守用端末の出力部２１が演出を行う。これにより、点検者が点検結果を容易に認識することが可能となる。なお、被試験端末には、保守用端末の電話番号「０００１」が予め内蔵されており、保守モードにおいて電話番号「０００１」の応答が可能になっている。また、点検に使用するＳＩＰ接続用の無線チャネルも保守用アプリケーションを起動するために必要なデータに含まれている。
【００３４】
上記においては、保守用端末１台が被試験端末１台を点検する場合について説明しているが、本発明はこれに限定されず、図５に示すように、保守用端末１台が複数の被試験端末を点検することもできる。この場合、図３及び図４に示す操作を順次繰り返すことにより、複数の被試験端末の点検を行う。このとき、被試験端末から保守用端末に対して送信する接続要求信号については、すべて同じフォーマットの接続要求信号を用いる必要がある。
【００３５】
保守用端末１台が複数の被試験端末を点検する場合の保守用端末の表示画面の遷移を図６（ａ）〜（ｇ）に示す。まず、図６（ａ）に示すように、保守用アプリケーションを起動して保守モードにするための画面が表示される。この画面上で「はい」を選択すると、図６（ｂ）に示すように、点検する被試験端末数を入力する画面が表示される。この画面上で被試験端末数を入力すると、被試験端末を検索する。検索中は、図６（ｃ）に示す画面が表示される。そして、１台目の被試験端末（接続相手）が見つかると、図６（ｄ）に示す画面が表示され、図６（ｅ）に示す画面が表示される。そして、この被試験端末と接続する場合には、「はい」を選択する。これにより、選択した被試験端末との間でＳＩＰ接続が行われる。このとき図６（ｆ）に示すような画面が表示される。このようにして１台目の被試験端末の点検が行われる。次いで、２台目の被試験端末を検索して見つかると、図６（ｇ）に示す画面が表示される。そして、同様にして２台目の被試験端末の点検が行われる。このような操作を繰り返して、入力した数の被試験端末に対して点検を行う。
【００３６】
一方、通信モードにおいては、通常の無線ＬＡＮ端末と同様に、ＳＩＰサーバを介して他の無線ＬＡＮ端末とＩＰ電話通信を行うことができる。また、無線基地局であるアクセスポイントとの間で無線ＬＡＮ通信を行うことができる。この場合においては、受信信号に対する受信処理は、第２受信処理部１５において行われる。
【００３７】
このように本発明の無線ＬＡＮ端末装置を用いた無線ＬＡＮ端末の保守・点検は、無線ＬＡＮ基地局や通話接続制御サーバ機能を有する機器を必要とせず、保守用端末と被試験端末との間の近距離無線通信により無線ＬＡＮ端末の保守・点検を行うので、簡易に無線ＬＡＮ端末の保守・点検を行うことができる。その結果、店頭や保守窓口における保守費用（試験環境設置コスト）の削減を図ることが可能となる。
【００３８】
（実施の形態２）
本実施の形態においては、保守用端末が保守システム特有の構成を有し、保守用端末の構成が被試験端末と異なる構成である場合について説明する。
【００３９】
図７は、本発明の実施の形態２に係る無線ＬＡＮ端末装置の概略構成を示すブロック図である。図７において、図１と同じ部分については図１と同じ符号を付して、その詳細な説明は省略する。
【００４０】
図７に示す保守用端末又は保守用システムとして機能する無線ＬＡＮ端末装置は、外部機器や記憶部１９からのデータを受信する外部データ受信部２５を有する。本発明においては、無線ＬＡＮ端末の保守・点検を行う際には、図７に示すような構成を有する保守用モジュールを準備できれば良い。このため、実施の形態１で説明したような保守・点検機能を実現できれば、端末単体の構成でなくても良く、端末とカードなどの組み合わせにより実現しても良い。すなわち、実施の形態１で説明したような保守・点検機能を、パーソナルコンピュータ、試験用端末、電話機などの通信端末に搭載しても良く、これらの通信端末に、前記保守・点検機能を有するモジュールを接続（カード挿入、ＵＳＢ接続など）しても良く、これらの通信端末が、ネットワークを経由して前記保守・点検用のアプリケーションをダウンロードしても良い。外部データ受信部２５は、これらの保守・点検機能を有するモジュールと接続したり、保守・点検用のアプリケーションをダウンロードする際に、必要なデータを受信するときに使用される。なお、無線ＬＡＮ端末の保守・点検のときにのみ使用する専用のハンドセットについては、通信モードは不要となるので、モード判定部１３、第２受信処理部１５及びモード切替部１６は不要である。
【００４１】
本実施の形態においても、保守・点検機能を備えた通信端末を用いて、実施の形態１と同様の手順で保守・点検（無線ＬＡＮ接続試験、ＶｏＩＰ品質試験）を行うことができる。すなわち、保守用端末と被試験端末との間で無線ＬＡＮ通信の接続を行い、その後、ＩＰ電話接続試験を行う。
【００４２】
ＳＩＰ接続においては、図３に示すように、被試験端末から保守用端末にＩＰ電話を発呼して接続要求する。この接続要求信号は、接続可能な無線チャネルを探す信号、自端末の接続プロトコルによる接続要求信号などが含まれる。これにより、保守用端末が呼び出される。保守用端末は、接続要求信号を受信してオフフックになると、応答信号が保守用端末から被試験端末に送られる。応答信号には、保守試験接続用の無線チャネルを指定する信号、保守モード用のデータを含む。なお、被試験端末が接続するために必要な情報は、接続要求信号から把握する。また、保守モードにおいては、保守用端末で通信相手端末の認証を行わない。
【００４３】
そして、被試験端末は、応答信号を受け取ると、確認信号を保守用端末に送る。その後、被試験端末と保守用端末との間で通話が行われる。これらの一連の処理についてはＶｏＩＰ接続制御部１８により行われる。また、保守用端末においては、保守モードに設定されているので、被試験端末からの信号は、第１受信処理部１４で受信処理されてＩＰ制御部１７に送られる。また、図４に示すように、保守用端末から被試験端末にＩＰ電話を発呼して接続要求する。これにより、被試験端末が呼び出される。そして、被試験端末がオフフックになると、応答信号が被試験端末から保守用端末に送られる。そして、保守用端末は、応答信号を受け取ると、確認信号を被試験端末に送る。その後、保守用端末と被試験端末との間で通話が行われる。これらの一連の処理についてはＶｏＩＰ接続制御部１８により行われる。
【００４４】
上記においては、保守用端末１台が被試験端末１台を点検する場合について説明しているが、本発明はこれに限定されず、図５に示すように、保守用端末１台が複数の被試験端末を点検することもできる。この場合、図３及び図４に示す操作を順次繰り返すことにより、複数の被試験端末の点検を行う。このとき、被試験端末から保守用端末に対して送信する接続要求信号については、すべて同じフォーマットの接続要求信号を用いる必要がある。
【００４５】
本発明は上記実施の形態１，２に限定されず、種々変更して実施することが可能である。例えば、上記実施の形態１，２における手順やブロック構成については、これに限定されず、本発明の範囲を逸脱しない限りにおいて適宜変更して実施することが可能である。
【図面の簡単な説明】
【００４６】
【図１】本発明の実施の形態１に係る無線ＬＡＮ端末装置の概略構成を示すブロック図である。
【図２】本発明の無線ＬＡＮ端末の保守・点検方法における無線ＬＡＮ接続シーケンスを示す図である。
【図３】本発明の無線ＬＡＮ端末の保守・点検方法におけるＳＩＰ接続シーケンスを示す図である。
【図４】本発明の無線ＬＡＮ端末の保守・点検方法におけるＳＩＰ接続シーケンスを示す図である。
【図５】本発明の無線ＬＡＮ端末の保守・点検方法におけるＳＩＰ接続シーケンスを示す図である。
【図６】（ａ）〜（ｇ）は、本発明の無線ＬＡＮ端末の保守・点検方法における端末の表示画面を示す図である。
【図７】本発明の実施の形態２に係る無線ＬＡＮ端末装置の概略構成を示すブロック図である。
【符号の説明】
【００４７】
１１  受信アンテナ
１２  無線受信部
１３  モード判定部
１４  第１受信処理部
１５  第２受信処理部
１６  モード切替部
１７  ＩＰ制御部
１８  ＶｏＩＰ接続制御部
１９  記憶部
２０  アプリ制御部
２１  出力部
２２  送信処理部
２３  無線送信部
２４  送信アンテナ
２５  外部データ受信部
【図１】
2007266869.tif 000003
【図２】
2007266869.tif 000004
【図３】
2007266869.tif 000005
【図４】
2007266869.tif 000006
【図５】
2007266869.tif 000007
【図６】
2007266869.tif 000008
【図７】
2007266869.tif 000009